(57)【要約】    【課題】  光学系全体が小型で、広画角かつ高ズーム比で、しかも全ズーム範囲にわたり高い光学性能が得られるズームレンズを得ること。    【解決手段】  物体側から像側へ順に、正の屈折力の第１レンズ群、負の屈折力の第２レンズ群、開口絞り、正の屈折力の第３レンズ群、１以上のレンズ群を含む後続レンズ群を有し、広角端から望遠端へのズーミングに際して、前記第１レンズ群は物体側へ移動し、前記第２レンズ群は像側へ移動し、前記開口絞りは物体側に凸状の軌跡を描いて移動し、前記第３レンズ群は物体側へ移動するズームレンズにおいて、前記第２レンズ群の最も物体側のレンズの物体側と像側のレンズ面の曲率半径Ｒ２１ａ、Ｒ２２ｂ、広角端と望遠端における全系の焦点距離ｆｗ、ｆｔ、前記第１レンズ群、前記第２レンズ群の焦点距離ｆ１、ｆ２を各々適切に設定すること。【選択図】    図１
2011053297.tif 000002
【特許請求の範囲】
【請求項１】
物体側から像側へ順に、正の屈折力の第１レンズ群、負の屈折力の第２レンズ群、開口絞り、正の屈折力の第３レンズ群、１以上のレンズ群を含む後続レンズ群を有し、
広角端から望遠端へのズーミングに際して、前記第１レンズ群は物体側へ移動し、前記第２レンズ群は像側へ移動し、前記開口絞りは物体側に凸状の軌跡を描いて移動し、前記第３レンズ群は物体側へ移動するズームレンズにおいて、
前記第２レンズ群の最も物体側のレンズの物体側と像側のレンズ面の曲率半径を各々Ｒ２１ａ、Ｒ２２ｂ、広角端と望遠端における全系の焦点距離を各々ｆｗ、ｆｔ、前記第１レンズ群、前記第２レンズ群の焦点距離を各々ｆ１、ｆ２とするとき
０．８０＜｜（Ｒ２１ｂ＋Ｒ２１ａ）／（Ｒ２１ｂ−Ｒ２１ａ）｜＜１．３０
７．００＜ｆ１／ｆｗ＜４０．００
０．０５＜｜ｆ２／ｆｔ｜＜０．１０
なる条件式を満足することを特徴とするズームレンズ。
【請求項２】
前記第３レンズ群の焦点距離をｆ３とするとき、
２．００＜ｆ３／ｆｗ＜６．００
なる条件を満足することを特徴とする請求項１に記載のズームレンズ。
【請求項３】
前記第１レンズ群は、物体側から像側へ順に、像側が凹面でメニスカス形状の負レンズ、物体側が凸面の３枚の正レンズで構成され、前記３枚の正レンズの材料の平均アッベ数をν１ｐとするとき
７０＜ν１ｐ
なる条件を満足することを特徴とする請求項１又は２に記載のズームレンズ。
【請求項４】
前記第２レンズ群は、物体側から像側へ順に、曲率半径の絶対値が物体側に比べ像側が小さく、像側が凹面の負レンズ、物体側が凹面でメニスカス形状の正レンズ、両凹形状の負レンズ、正レンズから構成され、少なくとも１面は非球面であることを特徴とする請求項１乃至３のいずれか１項に記載のズームレンズ。
【請求項５】
前記後続レンズ群は、物体側から像側に順に、負の屈折力の第４レンズ群、正の屈折力の第５レンズ群で構成されることを特徴とする請求項１乃至４のいずれか１項に記載のズームレンズ。
【請求項６】
前記後続レンズ群は、物体側から像側に順に、正の屈折力の第４レンズ群、正の屈折力の第５レンズ群で構成されることを特徴とする請求項１乃至４のいずれか１項に記載のズームレンズ。
【請求項７】
前記後群は、正の屈折力の第４レンズ群から成り、ズーミングに際して各レンズ群が移動することを特徴とする請求項１乃至４のいずれか１項に記載のズームレンズ。
【請求項８】
前記第４レンズ群、第５レンズ群の焦点距離を各々ｆ４、ｆ５とするとき、
０．５０＜｜ｆ４／ｆｔ｜＜２．００
０．１０＜ｆ５／ｆｔ＜０．７０
なる条件を満足することを特徴とする請求項１乃至６のいずれか１項に記載のズームレンズ。
【請求項９】
光電変換素子に像を形成することを特徴とする請求項１乃至８のいずれか１項に記載のズームレンズ。
【請求項１０】
請求項１乃至９のいずれか１項に記載のズームレンズと、該ズームレンズによって形成される像を受光する光電変換素子とを備えることを特徴とする撮像装置。
【請求項１１】
前記ズームレンズの最大半画角をωｗとするとき、
ｔａｎωｗ＞０．７０
なる条件を満足することを特徴とする請求項１０に記載の撮像装置。
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系として、コンパクト（小型）で、広画角、高ズーム比（高変倍比）で、しかも高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の４つのレンズ群より成るズームレンズが知られている（特許文献１）。又、物体側より像側へ順に正、負、正、正、正の屈折力の５つのレンズ群より成るズームレンズが知られている（特許文献２）。又、物体側より像側へ順に正、負、正、負、正の屈折力の５つのレンズ群より成るズームレンズが知られている（特許文献３）。
【先行技術文献】
【特許文献】
【０００３】
【特許文献１】特開２００６−１７１６５５号公報
【特許文献２】特開２００７−２９２９９４号公報
【特許文献３】特開２００８−２２５３２８号公報
【発明の概要】
【発明が解決しようとする課題】
【０００４】
一般にズームレンズの高ズーム比化及び全系の小型化を図るためには、ズームレンズを構成する各レンズ群の屈折力（光学的パワー＝焦点距離の逆数）を強めれば良い。しかしながら、このようにしたズームレンズは、ズーミングの際の収差変動が大きくなり、また広角端から中間のズーム領域において、前玉有効径が増大し、全系が大型化してくる。前述した４群又は５群ズームレンズにおいて、広画角、高ズーム比でレンズ系全体の小型化を図りつつ、良好な光学性能を得るには各レンズ群の屈折力やレンズ構成、そして各レンズ群のズーミングに伴う移動条件等を適切に設定することが重要となる。特に第１、第２レンズ群の屈折力や第２レンズ群のレンズ構成、そしてズーミングに際しての第１、第２、第３レンズ群の移動条件等を適切に設定することが重要になってくる。この他開口絞りの位置やズーミングに際しての開口絞りの移動条件等も重要になってくる。これらの構成を適切に設定しないと、全系の小型化を図りつつ、広画角かつ高ズーム比で高い光学性能のズームレンズを得るのが難しくなってくる。
【０００５】
本発明は、光学系全体が小型で、広画角かつ高ズーム比で、しかも全ズーム範囲にわたり高い光学性能が得られるズームレンズ及びそれを有する撮像装置の提供を目的とする。
【課題を解決するための手段】
【０００６】
本発明のズームレンズは、物体側から像側へ順に、正の屈折力の第１レンズ群、負の屈折力の第２レンズ群、開口絞り、正の屈折力の第３レンズ群、１以上のレンズ群を含む後続レンズ群を有し、
広角端から望遠端へのズーミングに際して、前記第１レンズ群は物体側へ移動し、前記第２レンズ群は像側へ移動し、前記開口絞りは物体側に凸状の軌跡を描いて移動し、前記第３レンズ群は物体側へ移動するズームレンズにおいて、
前記第２レンズ群の最も物体側のレンズの物体側と像側のレンズ面の曲率半径を各々Ｒ２１ａ、Ｒ２２ｂ、広角端と望遠端における全系の焦点距離を各々ｆｗ、ｆｔ、前記第１レンズ群、前記第２レンズ群の焦点距離を各々ｆ１、ｆ２とするとき
０．８０  ＜｜（Ｒ２１b＋Ｒ２１a）／（Ｒ２１ｂ−Ｒ２１a）｜＜  １．３０
７．００＜ｆ１／ｆｗ＜４０．００       
０．０５＜｜ｆ２／ｆｔ｜＜０．１０  
なる条件式を満足することを特徴としている。
【発明の効果】
【０００７】
本発明によれば、光学系全体が小型で、広画角かつ高ズーム比で、しかも全ズーム範囲にわたり高い光学性能が得られるズームレンズが得られる。
【図面の簡単な説明】
【０００８】
【図１】本発明の実施例１の広角端におけるレンズ断面図
【図２】（Ａ）、（Ｂ）、（Ｃ）本発明の実施例１に対応する数値実施例１の広角端、中間のズーム位置、望遠端の収差図
【図３】本発明の実施例２の広角端におけるレンズ断面図
【図４】（Ａ）、（Ｂ）、（Ｃ）本発明の実施例２に対応する数値実施例２の広角端、中間のズーム位置、望遠端の収差図
【図５】本発明の実施例３の広角端におけるレンズ断面図
【図６】（Ａ）、（Ｂ）、（Ｃ）本発明の実施例３に対応する数値実施例３の広角端、中間のズーム位置、望遠端の収差図
【図７】本発明の実施例４の広角端におけるレンズ断面図
【図８】（Ａ）、（Ｂ）、（Ｃ）本発明の実施例４に対応する数値実施例４の広角端、中間のズーム位置、望遠端の収差図
【図９】本発明の実施例５の広角端におけるレンズ断面図
【図１０】（Ａ）、（Ｂ）、（Ｃ）本発明の実施例５に対応する数値実施例５の広角端、中間のズーム位置、望遠端の収差図
【図１１】本発明の撮像装置の要部概略図
【発明を実施するための形態】
【０００９】
以下、本発明のズームレンズ及びそれを有する撮像装置について説明する。本発明のズームレンズは、物体側より像側へ順に、正の屈折力の第１レンズ群、負の屈折力の第２レンズ群、開口絞り、正の屈折力の第３レンズ群、１つ以上のレンズ群を含む後群を有している。そして、撮像面（像面）に対して広角端に比べて望遠端において第１レンズ群が物体側、第２レンズ群が像側、該第３レンズ群が物体側へ移動してズーミングを行う。また開口絞りは物体側に凸状の軌跡を描いて移動する。
【００１０】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００１１】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。Ｌｒは１以上のレンズ群を含む後群である。
【００１２】
図１の実施例１のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４より成っている。実施例１はポジティブリード型の４群ズームレンズである。図３、図５、図７の実施例２〜４のレンズ断面図において、Ｌ１は正の屈折力の第１レンズ群、Ｌ２は負の屈折力の第２レンズ群、Ｌ３は正の屈折力の第３レンズ群である。後群Ｌｒは負の屈折力の第４レンズ群Ｌ４、正の屈折力の第５レンズ群Ｌ５より成っている。実施例２〜４はポジティブリード型の５群ズームレンズである。図９の実施例５のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４、正の屈折力の第５レンズ群Ｌ５より成っている。実施例５はポジティブリード型の５群ズームレンズである。
【００１３】
各実施例において、ＳＰは開口絞りであり、第３レンズ群Ｌ３の物体側に配置している。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。収差図において、ｄ、ｇは各々ｄ線及びｇ線、ΔＭ，ΔＳはメリディオナル像面、サジタル像面、倍率色収差はｇ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【００１４】
図１の実施例１では、広角端から望遠端へのズーミングに際して、第１レンズ群Ｌ１は像側へ凸状の軌跡を描いて移動している。第２レンズ群Ｌ２は像側へ移動している。第３レンズ群Ｌ３は物体側へ移動している。第４レンズ群Ｌ４は物体側へ凸状の軌跡を描いて移動している。開口絞りＳＰは他のレンズ群と独立に物体側に凸状の軌跡を描いて移動している。また、第４レンズ群Ｌ４を光軸上移動させてフォーカシングを行うリヤーフォーカス式を採用している。望遠端において無限遠物体から近距離物体へフォーカスを行う場合にはレンズ断面図の矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う像面変動を補正するための移動軌跡を示している。
【００１５】
図３、図５、図７、図９の実施例２〜５では、広角端から望遠端へのズーミングに際して、第１レンズ群Ｌ１は像側へ凸状の軌跡を描いて移動している。第２レンズ群Ｌ２は像側へ、移動している。第３レンズ群Ｌ３は物体側へ移動している。第４レンズ群Ｌ４は像側へ凸状の軌跡を描いて移動している。第５レンズ群は物体側へ凸状の軌跡を描いて移動している。開口絞りＳＰは他のレンズ群と独立に物体側へ凸状の軌跡を描いて移動している。また、第５レンズ群Ｌ５を光軸上移動させてフォーカシングを行うリヤーフォーカス式を採用している。望遠端において無限遠物体から近距離物体へフォーカスを行う場合には各レンズ断面図の矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う像面変動を補正するための移動軌跡を示している。各実施例において、後続レンズ群Ｌｒを構成するレンズ群の数は任意であり、少なくとも１つのレンズ群を有していれば良い。
【００１６】
正の屈折力の第１レンズ群Ｌ１は、広角端から望遠端へのズーミングに際し、像面に対して物体側に移動している。これにより、負の屈折力の第２レンズ群Ｌ２に変倍作用を大きく分担させて、高ズーム比を確保しつつ、全系の小型化を図っている。また、開口絞りＳＰは、中間ズーム領域において最も物体側に位置するように、物体側に凸状の軌跡で移動している。これにより前玉有効径が増大しないようにしている。又第３レンズ群Ｌ３は像面に対して物体側に移動する。これにより第３レンズ群Ｌ３にも変倍分担をさせて高ズーム比化を図っている。各実施例では、第４レンズ群Ｌ４又は第５レンズ群Ｌ５を光軸上移動させてフォーカシングを行うリヤーフォーカス式を採用している。各実施例では、軽量な第４レンズ群Ｌ４又は第５レンズ群Ｌ５をフォーカスの為に移動させることで迅速なフォーカスを容易にしている。
【００１７】
各実施例において、第２レンズ群Ｌ２の最も物体側と像側のレンズ面の曲率半径を各々Ｒ２１ａ、Ｒ２２ｂとする。広角端と望遠端における全系の焦点距離を各々ｆｗ、ｆｔとする。第１レンズ群、前記第２レンズ群の焦点距離を各々ｆ１、ｆ２とする。このとき
０．８０＜｜（Ｒ２１b＋Ｒ２１a）／（Ｒ２１ｂ−Ｒ２１a）｜＜１．３０・・（１）
７．００＜ｆ１／ｆｗ＜４０．００       ・・・（２）
０．０５＜｜ｆ２／ｆｔ｜＜０．１０      ・・・（３）
なる条件を満足している。
【００１８】
条件式（１）は、第２レンズ群Ｌ２の最も物体側に配置された負レンズのレンズ形状を規定した条件式である。条件式（２）は、第１レンズ群Ｌ１の焦点距離を規定する条件式である。条件式（３）は、第２レンズ群Ｌ２の焦点距離を規定する条件式である。条件式（１）は、第２レンズ群Ｌ２の最も物体側に配置された負レンズについて、物体側のレンズ面の曲率が小さく、像側のレンズ面は強い屈折力の凹面であることを特定している。これにより、第２レンズ群Ｌ２の主点位置を物体側に配置しやすくなり、前玉有効径の小型化が容易になる。また、各レンズ面における像面彎曲やコマ収差の発生を少なくし、像面彎曲やコマ収差等の補正が容易になる。条件式（１）の上限を超えると、第２レンズ群Ｌ２の主点位置が像側に配置されやすくなり、前玉有効径が大きくなりやすい。一方、下限を超えると、各レンズ面における像面彎曲やコマ収差の発生が大きくなり、像面彎曲やコマ収差等の補正が困難となる。
【００１９】
条件式（２）を満足するように、第１レンズ群Ｌ１の焦点距離を設定することで、ズーミングに伴う像面彎曲の変動を補正しつつレンズ全系の小型化を容易にしている。条件式（２）の上限を超えると、第１レンズ群Ｌ１の焦点距離が大きくなりすぎ、前玉有効径が増大しレンズ全系が大型化する。一方、下限を超えると、第１レンズ群Ｌ１の焦点距離が小さくなりすぎ、ズーム全域において像面彎曲を補正するのが困難となるのでよくない。条件式（３）を満足するように、第２レンズ群Ｌ２の焦点距離を設定することで、ズーム全域でコマ収差を良好に補正しつつレンズ全系の小型化を容易にしている。条件式（３）の上限を超えると、第２レンズ群Ｌ２の焦点距離が大きくなりすぎ、変倍のための第２レンズ群Ｌ２の移動量が増大しレンズ全系が大型化してしまう。一方、下限を超えると、第２レンズ群Ｌ２の焦点距離が小さくなりすぎ、ズーム全域でコマ収差を補正するのが困難となるのでよくない。
【００２０】
各実施例では条件式（１）、（２）、（３）を全て満たすことで、広画角化、高ズーム比で全ズーム領域において高い光学性能を有したズームレンズを得ている。さらに、開口絞りＳＰを前述の如く移動させることで、全ズーム領域に渡って前玉有効径の増大を効果的に軽減している。各実施例において更に好ましくは条件式（１）乃至（３）の数値範囲を次の如く設定するのが良い。
０．８０＜｜（Ｒ２１b＋Ｒ２１a）／（Ｒ２１ｂ−Ｒ２１a）｜＜１．２０ （１a）
７．００＜ｆ１／ｆｗ＜１５．００       ・・・（２a）
０．０７＜｜ｆ２／ｆｔ｜＜０．１０    ・・・（３a）
各実施例において、さらに好ましくは、条件式（１）、（２）を以下の数値範囲とするとよい。
【００２１】
０．９０＜｜（Ｒ２１b＋Ｒ２１a）／（Ｒ２１ｂ−Ｒ２１a）｜＜１．１０
・・・（１b）
８．００＜ｆ１／ｆｗ＜１１．００       ・・・（２b）
各実施例では以上の如く構成することにより、広画角かつ高ズーム比でズーム全域にわたり高い光学性能を有したコンパクトなズームレンズを得ることができる。各実施例において、更に好ましくは次の諸条件のうち１以上を満足するのが良い。第３レンズ群Ｌ３の焦点距離をｆ３とする。第１レンズ群Ｌ１は、物体側から像側へ順に、像側が凹面でメニスカス形状の負レンズ、物体側が凸面の３枚の正レンズで構成されている。そして３枚の正レンズの材料の平均アッベ数をν１ｐとする。このとき
２．００＜ｆ３／ｆｗ＜６．００    ・・・（４）
７０＜ν１ｐ          ・・・（５）
なる条件のうち１以上を満足するのが良い。
【００２２】
条件式（４）は、第３レンズ群Ｌ３の屈折力を規定する条件式である。条件式（４）の上限を超えると、第３レンズ群Ｌ３の屈折力が小さくなりすぎ、変倍時の第３レンズ群Ｌ３の移動量が大きくなる。この結果、広角端において、第２，第３レンズ群Ｌ２，Ｌ３の間隔が大きくなるため前玉有効径が増大してくる。一方、下限を超えると、第３レンズ群Ｌ３の屈折力が大きくなりすぎ、諸収差の補正、特に球面収差の補正が困難となる。条件式（５）は第１レンズ群Ｌ１を構成する３枚の正レンズの材料の平均アッベ数を規定する条件式である。条件式（５）の下限を超えて平均アッベ数が小さくなると分散が大きすぎるため第１レンズ群Ｌ１において色収差が補正が困難となる。この第１レンズ群Ｌ１のレンズ構成により、レンズ全系の小型化を実現しつつ、望遠端において色収差の補正を効果的に行っている。各実施例において更に好ましくは条件式（４）、（５）の数値範囲を次の如く設定するのが良い。
【００２３】
３．００＜ｆ３／ｆｗ＜４．００    ・・・（４ａ）
８０＜ν１ｐ          ・・・（５ａ）
実施例２乃至４において後続レンズ群Ｌｒは、物体側から像側に順に、負の屈折力の第４レンズ群Ｌ４、正の屈折力の第５レンズ群Ｌ５で構成されている。
【００２４】
また実施例５において、後続レンズ群Ｌｒは、物体側から像側に順に、正の屈折力の第４レンズ群Ｌ４、正の屈折力の第５レンズ群Ｌ５で構成されている。これらの各実施例においては、第４レンズ群Ｌ４、第５レンズ群Ｌ５の焦点距離を各々ｆ４、ｆ５とする。このとき、
０．５０＜｜ｆ４／ｆｔ｜＜２．００    ・・・（６）
０．１０＜ｆ５／ｆｔ＜０．７０        ・・・（７）
なる条件のうち１以上を満足するのが良い。
【００２５】
条件式（６）は第４レンズ群Ｌ４の屈折力を適切に規定したものである。条件式（６）の上限を超えると、第４レンズ群Ｌ４から射出する光束が収斂光になりやすく第５レンズ群Ｌ５のフォーカス敏感度が低下し、フォーカスの際の移動量が増大し、レンズ全長が長くなるので良くない。一方、下限を超えると第４レンズ群Ｌ４の屈折力が強くなりすぎ像面彎曲が増大し、像面彎曲の補正が困難となる。条件式（７）は、第５レンズ群Ｌ５の屈折力を規定する条件式である。条件式（７）の上限を超えると、第５レンズ群Ｌ５のフォーカス敏感度が低下し、フォーカスの際の移動量が増大し、レンズ全長が長くなるので良くない。一方、下限を超えると第５レンズ群Ｌ５の屈折力が強くなりすぎ像面彎曲が増大し、この補正が困難となる。また各実施例において、より好ましくは、条件式（６），（７）を以下の数値範囲とするとよい。
０．５０＜｜ｆ４／ｆｔ｜＜１．７０      ・・・（６ａ）
０．２０＜ｆ５／ｆｔ＜０．５０   ・・・（７ａ）
さらに好ましくは、条件式（６ａ），（７ａ）を以下の数値範囲とするとよい。
【００２６】
０．５０＜｜ｆ４／ｆｔ｜＜１．００      ・・・（６ｂ）
０．２０＜ｆ５／ｆｔ＜０．４０   ・・・（７ｂ）
以上のように各実施例によれば、撮影画角２ωが７０°以上、１５倍以上のズーム比を有する広画角、高ズーム比で前玉有効径が小型であり、かつ高い光学性能を有するズームレンズを得ることができる。各実施例のズームレンズによって形成される像を受光する光電変換素子とを備える撮像装置において、ズームレンズの最大半画角をωｗとする。このとき、
ｔａｎωｗ＞０．７０  ・・・（８）
なる条件を満足している。条件式（８）は、各実施例のズームレンズを、撮像素子を有する撮像装置（光学機器）に適用したとき、ズームレンズの焦点距離と撮像素子の有効径によって定まる撮影画角を適切に設定している。これにより各実施例のズームレンズを特に効果的に用いるためのものである。条件式（８）の下限を超えると、撮像装置としての広画角化が不十分となってくるのでよくない。各実施例において、より好ましくは条件式（８）を以下の範囲とするのがよい。
【００２７】
ｔａｎωｗ＞０．８０  ・・・（８ａ）
実施例２乃至５において、第２レンズ群Ｌ２は、物体側から像側へ順に、曲率半径の絶対値が物体側に比べ像側が小さく、像側が凹面の負レンズ、物体側が凹面でメニスカス形状の正レンズ、両凹形状の負レンズ、正レンズから構成されている。そして第２レンズ群Ｌ２のうち少なくとも１面は非球面である。この第２レンズ群Ｌ２のレンズ構成により、レンズ全系の小型化を実現しつつ、像面彎曲の補正を効果的に行っている。第３レンズ群Ｌ３は物体側から像側へ順に、物体側が凸面の正レンズ、物体側が凸面でメニスカス形状の負レンズ、負レンズと正レンズとを接合した接合レンズより構成している。第３レンズ群Ｌ３を小のように構成することによって、ズーミングの際の収差変動を良好に補正し、全ズーム範囲にわたり高い光学性能を得ている。以下、各実施例の各レンズ群のレンズ構成を説明する。レンズ構成は、物体側から像側の順とする。
【００２８】
［実施例１］
第１レンズ群Ｌ１は、像側が凹面でメニスカス形状の負レンズと物体側が凸面でメニスカス形状の正レンズとを接合した接合レンズ、物体側の面が凸面でメニスカス形状の正レンズ、物体側が凸面でメニスカス形状の正レンズで構成している。このレンズ構成により、レンズ全系の小型化を実現しつつ、望遠端における色収差の補正を効果的に行っている。第２レンズ群Ｌ２は、像側が凹面で非球面形状の負レンズ、物体側が凹面の負レンズ、両凸形状の正レンズ、物体側が凹面の負レンズで構成している。開口絞りＳＰは、ズーミングに際して各レンズ群とは独立に移動している。第３レンズ群Ｌ３は、物体側が凸面で非球面形状の正レンズ、像側が凹面の負レンズ、負レンズと正レンズとを接合した接合レンズで構成している。第４レンズ群Ｌ４は、物体側が凸面で非球面形状の正レンズと負レンズとを接合した接合レンズで構成している。
【００２９】
［実施例２］
第１レンズ群Ｌ１は、実施例１と同じである。第２レンズ群Ｌ２は、像側が凹面で非球面形状の負レンズ、物体側が凹面の正レンズと両凹形状の負レンズとを接合した接合レンズ、正レンズで構成している。開口絞りＳＰは、ズーミングに際して各レンズ群とは独立に移動している。第３レンズ群Ｌ３は、実施例１と同じである。第４レンズ群Ｌ４は、両凹形状の負レンズ、正レンズ、正レンズと負レンズとを接合した接合レンズで構成している。第５レンズ群Ｌ５は、物体側が凸面で非球面形状の正レンズ、正レンズと負レンズとを接合した接合レンズで構成している。
【００３０】
［実施例３］
第１、第２、第３レンズ群Ｌ１、Ｌ２、Ｌ３は実施例２と同じである。第４レンズ群Ｌ４は像側が凹面でメニスカス形状の負レンズで構成している。第５レンズ群Ｌ５は正レンズと負レンズとを接合した接合レンズで構成している。
【００３１】
［実施例４］
各レンズ群のレンズ構成は、実施例２と同じである。
【００３２】
［実施例５］
第１、第２、第３レンズ群Ｌ１、Ｌ２、Ｌ３は実施例２と同じである。第４レンズ群Ｌ４は、両凹形状の負レンズ、負レンズ、負レンズと正レンズの接合レンズで構成している。第５レンズ群Ｌ５は、実施例２と同じである。
【００３３】
以上、本発明の好ましい実施形態について説明したが、本発明はこれらの実施形態に限定されず、その要旨の範囲内で種々の変形及び変更が可能である。以下、実施例１〜５に対応する数値実施例１〜５の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。ｆは焦点距離、ＦｎｏはＦナンバー、ωは半画角である。また、非球面形状はＲを曲率半径とし、非球面係数Ｋ、Ａ３，Ａ４、Ａ５，Ａ６、Ａ７，Ａ８、Ａ９、Ａ１０、Ａ１１，Ａ１２を用いて次式で与えられるものとする。
【００３４】
Ｘ=（Ｈ２／Ｒ）／［１＋｛１−（１＋Ｋ）（Ｈ／Ｒ）２｝１／２］＋Ａ３・Ｈ３＋Ａ４・Ｈ４＋Ａ５・Ｈ５＋Ａ６・Ｈ６＋Ａ７・Ｈ７＋Ａ８・Ｈ８＋Ａ９・Ｈ９＋Ａ１０・Ｈ１０＋Ａ１１・Ｈ１１＋Ａ１２・Ｈ１２
なお、各非球面係数における「Ｅ±ＸＸ」は「×１０±ＸＸ」を意味している。間隔ｄの値が０とは、その間隔を挟んだ２つのレンズ面が接合されていることを意味する。数値実施例において最後の２つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側のレンズ面から最終レンズ面までの距離にバックフォーカスを加えたものである。また、各数値実施例における上述した条件式との対応を表１に示す。
【００３５】
（数値実施例１）
単位 mm
面データ
面番号       r        d      nd         νd       有効径
1         61.784    1.70   2.00330    28.3       46.66
2         41.204    5.11   1.49700    81.5       43.95
3         96.040    0.10                         43.38
4         69.730    3.15   1.43387    95.1       42.76
5        189.387    0.10                         42.40
6         51.650    4.43   1.72916    54.7       41.19
7        249.664  (可変)                         40.62
8       -292.672    1.00   1.88300    40.8       24.02
9*        11.360    6.50                         18.39
10*       -27.295    0.80   1.83400    37.2       18.22
11        700.903    0.11                         18.66
12         36.650    2.72   1.94595    18.0       19.11
13       -111.573    0.70                         19.01
14        -48.737    0.80   1.88300    40.8       19.00
15        -54.372  (可変)                         19.00
16(絞り)    ∞     (可変)                         14.30
17*        13.226    4.00   1.74100    52.6       17.54
18        124.987    0.86                         16.94
19*        20.603    0.86   1.75520    27.5       15.41
20         12.387    3.10                         14.43
21         26.780    0.72   1.83400    37.2       14.65
22         10.533    3.70   1.49700    81.5       14.19
23       -172.392  (可変)                         14.32
24*        27.026    3.30   1.69680    55.5       17.87
25        -41.388    1.00   1.64769    33.8       17.78
26        227.428  (可変)                         17.41
27          ∞       2.46   1.51633    64.1       25.00
28          ∞                                    25.00
像面        ∞   
非球面データ
第9面
K =-2.02330e-001  A 4=-3.27761e-005  A 6=-1.73684e-007  A 8=-3.01749e-009  A10= 2.93287e-010  A12=-2.16374e-012  
A 3= 2.56286e-005  A 5= 2.42283e-006  A 7=-6.28855e-008  A 9=-2.72191e-010  A11=-1.96319e-012  
第10面
K =-9.40387e-001  A 4=-4.16204e-006  A 6=-2.04117e-007  A 8= 4.30139e-009  A10=-4.32552e-011  A12= 1.90035e-014  
A 3=-1.19001e-005  A 5=-1.42665e-006  A 7=-1.93479e-008  A 9= 8.46186e-010  A11=-7.74305e-012  
第17面
K =-5.30481e-001  A 4= 8.55216e-006  A 6= 8.03290e-009  A 8= 5.06159e-010  A10= 3.98319e-012  A12=-1.20070e-014  
A 3=-1.13810e-005  A 5= 1.95274e-006  A 7=-2.65021e-008  A 9= 2.22806e-010  A11=-2.28290e-013  
第19面
K =-1.24137e+000  A 4=-1.79087e-005  A 6=-2.82094e-008  A 8=-2.03466e-010  A10=-1.40180e-011  A12=-7.89098e-014  
A 3= 1.54802e-005  A 5=-2.37173e-007  A 7=-1.89851e-008  A 9= 1.78436e-010  A11=-1.30859e-012  
第24面
K =-1.92754e+000  A 4= 5.02869e-006  A 6=-1.81098e-007  A 8= 1.65543e-009  A10=-3.15801e-013  A12=-2.56726e-014  
A 3= 1.90489e-006  A 5= 2.39479e-006  A 7=-4.08024e-009  A 9=-1.20661e-010  A11= 6.58939e-013  
各種データ
ズーム比     19.35 
広角     中間     望遠
ｆ             7.23    48.39   139.96  
Fno            1.83     3.60     4.00  
ω            41.10     7.48     2.60  
レンズ全長    121.51   138.36   142.42  
BF             1.30     1.30     1.30  
d 7            2.11    37.02    47.09  
d15           39.56     5.46     1.32  
d16           11.26     9.07     2.64  
d23           10.60    23.43    38.71  
d26            9.47    14.87     4.15  
入射瞳位置    28.12   166.79   330.30  
射出瞳位置  -206.49   1055.74   224.27  
前側主点位置  35.10   217.41   558.12  
後側主点位置  -5.94   -47.09  -138.66  
ズームレンズ群データ
群  始面    焦点距離  レンズ構成長  前側主点位置  後側主点位置
1    1      72.37        14.59         3.46         -5.91
2    8     -13.12        12.63        -0.02        -10.71
絞り16       ∞           0.00         0.00         -0.00
3   17      28.62        13.24        -3.01        -11.98
4   24      41.24         4.30        -0.20         -2.74
単レンズデータ
レンズ  始面  焦点距離
1       1   -128.61
2       2    140.84
3       4    252.37
4       6     88.48
5       8    -12.37
6      10    -31.49
7      12     29.43
8      14   -570.51
9      17     19.66
10      19    -43.07
11      21    -21.24
12      22     20.11
13      24     23.94
14      25    -53.98
15      27      0.00
【００３６】
（数値実施例２）
単位 mm
面データ
面番号       r        d      nd         νd       有効径
1         79.662    1.70   2.00330    28.3       50.00
2         55.397    5.80   1.43875    95.0       47.76
3        582.889    0.10                         47.59
4         78.104    3.10   1.43875    95.0       46.86
5        206.725    0.10                         46.57
6         51.396    4.80   1.59240    68.3       45.02
7        208.025  (可変)                         44.54
8        478.061    0.85   2.00330    28.3       24.05
9*        13.400    6.55                         18.85
10        -25.196    2.12   1.92286    18.9       18.32
11        -15.953    0.65   1.74100    52.6       18.44
12         36.734    1.13                         18.40
13         32.976    2.65   1.84666    23.9       18.92
14       -142.740  (可変)                         18.85
15(絞り)    ∞     (可変)                         15.41
16*        15.380    4.70   1.83481    42.7       19.76
17        132.012    2.03                         18.92
18*        30.608    1.00   2.00069    25.5       16.58
19         12.195    2.09                         14.90
20         16.700    0.80   1.83400    37.2       15.00
21         12.814    4.40   1.49700    81.5       14.49
22        -42.932  (可変)                         14.16
23        -29.633    1.00   1.49700    81.5       13.64
24         23.636    0.89                         13.21
25*        83.545    1.40   1.94595    18.0       13.22
26        151.091    0.81                         13.31
27         38.964    3.33   1.49700    81.5       14.01
28        -19.042    0.00                         14.30
29        -19.042    0.60   1.83400    37.2       14.30
30        -31.119  (可変)                         14.67
31*        31.116    1.70   1.48749    70.2       17.85
32         64.686    0.77                         17.78
33         47.335    3.95   1.49700    81.5       17.80
34        -20.349    0.00                         17.68
35        -20.349    0.65   1.83400    37.2       17.68
36        -43.932  (可変)                         17.83
37          ∞       2.46   1.51633    64.1       25.00
38          ∞                                    25.00
像面        ∞   
非球面データ
第9面
K = 3.78236e-001  A 4=-2.36521e-005  A 6=-6.47622e-007  A 8= 9.24057e-010  A10= 1.17099e-010  A12=-9.64378e-013  
A 3=-4.84718e-006  A 5= 3.27503e-007  A 7= 1.00080e-007  A 9=-2.06991e-009  A11= 1.01586e-011  
第16面
K =-6.11323e-001  A 4= 6.67210e-006  A 6=-9.87431e-008  A 8=-7.63307e-010  A10= 1.03375e-011  A12=-1.74626e-014  
A 3= 3.32407e-006  A 5= 2.23732e-007  A 7= 1.85740e-008  A 9=-1.24005e-010  A11= 1.18671e-014  
第18面
K =-9.30122e+000  A 4= 2.73588e-005  A 6=-2.40327e-007  A 8=-5.43808e-010  A10= 1.97497e-012  A12= 1.55877e-014  
A 3=-1.91273e-006  A 5= 7.26764e-007  A 7= 1.13335e-008  A 9= 1.73854e-010  A11=-9.77429e-013  
第25面
K =-1.26072e+000  A 4= 1.65043e-005  A 6= 8.35351e-008  A 8= 7.49988e-010  A10= 2.90374e-010  A12= 1.49029e-012  
A 3=-8.26527e-006  A 5=-5.64440e-007  A 7=-4.42219e-009  A 9=-8.71323e-010  A11=-3.55982e-011  
第31面
K = 1.01663e+000  A 4=-3.59004e-006  A 6= 4.62769e-009  A 8= 1.34026e-010  A10= 1.25828e-012  A12=-1.60867e-013  
A 3= 1.07705e-005  A 5=-2.39973e-007  A 7= 9.70039e-009  A 9=-1.80292e-010  A11= 2.51508e-012  
各種データ
ズーム比     19.37 
広角     中間     望遠
f              7.28    47.86   141.00  
Fno            1.85     3.60     4.00  
ω            42.00     7.58     2.58  
レンズ全長    135.28   150.32   153.05  
BF             1.69     1.69     1.69  
d 7            0.98    35.90    49.30  
d14           37.71     6.11     1.98  
d15           14.60     6.87     1.95  
d22            1.27     5.68     1.33  
d30            5.04     8.39    20.75  
d36           11.86    23.55    13.92  
入射瞳位置    26.76   160.62   435.34  
射出瞳位置   526.49  -359.29  -568.68  
前側主点位置  34.15   202.14   541.49  
後側主点位置  -5.59   -46.17  -139.31  
ズームレンズ群データ
群  始面    焦点距離  レンズ構成長  前側主点位置  後側主点位置
1    1      72.85        15.60         4.05         -6.30
2    8     -11.97        13.95         0.41        -11.41
絞り15       ∞           0.00         0.00         -0.00
3   16      26.32        15.02         0.64        -11.00
4   23    -120.54         8.03       -10.42        -17.55
5   31      48.23         7.07         1.43         -3.58
単レンズデータ
レンズ  始面  焦点距離
1       1   -187.86
2       2    139.05
3       4    284.02
4       6    113.93
5       8    -13.75
6      10     42.45
7      11    -14.93
8      13     31.86
9      16     20.48
10      18    -20.82
11      20    -72.84
12      21     20.39
13      23    -26.29
14      25    195.59
15      27     26.24
16      29    -60.20
17      31    120.99
18      33     29.20
19      35    -46.03
20      37      0.00
【００３７】
（数値実施例３）
単位 mm
面データ
面番号       r        d      nd         νd       有効径
1        114.411    1.70   2.00330    28.3       49.86
2         60.567    5.80   1.43875    95.0       46.43
3       1064.594    0.10                         45.72
4         70.852    4.30   1.43875    95.0       44.95
5        678.817    0.10                         44.61
6         54.512    5.00   1.74320    49.3       42.72
7        205.205  (可変)                         41.67
8       1601.856    0.85   2.00330    28.3       22.32
9*        14.612    5.51                         18.09
10*       -28.455    4.00   1.84666    23.9       17.62
11        -11.850    0.70   1.77250    49.6       17.69
12         59.483    0.10                         17.47
13         31.287    2.37   1.84666    23.9       17.58
14        224.435  (可変)                         17.34
15(絞り)    ∞     (可変)                         16.48
16*        17.766    4.00   1.80610    33.3       19.46
17        147.491    1.96                         18.95
18*        23.764    0.80   1.84666    23.9       17.46
19         13.218    1.91                         16.27
20         22.152    0.70   1.84666    23.9       16.23
21         13.513    4.40   1.48749    70.2       15.59
22        -43.657  (可変)                         15.40
23        183.785    0.90   1.83400    37.2       14.14
24         47.620  (可変)                         13.81
25*        22.638    4.30   1.49700    81.5       18.35
26        -34.876    1.00   1.65412    39.7       18.26
27        -63.439  (可変)                         18.24
28          ∞       2.46   1.51633    64.1       25.00
29          ∞                                    25.00
像面        ∞   
非球面データ
第9面
K = 4.50307e-001  A 4=-1.14719e-005  A 6=-1.43361e-006  A 8= 5.54045e-009  A10=-1.32641e-011  A12= 6.11510e-013  
A 3=-3.84627e-005  A 5= 4.81817e-006  A 7= 1.16318e-007  A 9=-9.72389e-010  A11=-3.88967e-012  
第10面
K = 3.17352e+000  A 4= 2.64577e-005  A 6= 1.22019e-007  A 8=-4.06487e-009  A10= 9.42193e-011  A12=-1.17185e-013  
A 3=-3.18296e-005  A 5=-1.31096e-006  A 7= 1.37255e-008  A 9=-4.18460e-010  A11=-1.75071e-012  
第16面
K =-5.07238e-001  A 4=-1.04148e-005  A 6=-2.32836e-008  A 8=-5.43076e-010  A10= 1.38976e-011  A12=-2.42736e-014  
A 3=-9.69139e-006  A 5=-1.04685e-006  A 7= 3.78237e-009  A 9=-1.15529e-010  A11=-3.18882e-014  
第18面
K =-1.66869e+000  A 4= 3.33240e-005  A 6=-5.71344e-008  A 8= 2.65590e-009  A10=-2.77218e-011  A12= 1.50613e-013  
A 3= 7.45837e-006  A 5= 1.69503e-006  A 7= 8.02602e-009  A 9= 3.58947e-011  A11=-6.10015e-013  
第25面
K =-8.68628e-001  A 4= 5.07244e-006  A 6= 2.29401e-008  A 8=-1.46346e-009  A10=-2.09737e-011  A12= 1.06517e-013  
A 3=-2.16899e-005  A 5=-2.42519e-007  A 7=-3.22635e-009  A 9= 4.02634e-010  A11=-1.32948e-012  
各種データ
ズーム比     18.02 
広角     中間     望遠
f              8.00    46.88   144.20  
Fno            1.85     3.60     4.00  
ω            39.30     7.71     2.52  
レンズ全長    133.02   145.67   145.84  
BF             1.14     1.14     1.14  
d 7            1.80    34.01    46.60  
d14           40.51     7.68     1.88  
d15            9.21     6.68     1.88  
d22            2.10     5.25     3.26  
d24           10.76    12.32    24.02  
d27           14.55    25.63    14.10  
入射瞳位置    29.27   154.91   395.56  
射出瞳位置  -276.42  -311.15   770.37  
前側主点位置  37.04   194.75   566.79  
後側主点位置  -6.86   -45.74  -143.06  
ズームレンズ群データ
群  始面    焦点距離  レンズ構成長  前側主点位置  後側主点位置
1    1      68.42        17.00         5.98         -5.01
2    8     -12.21        13.53         0.77         -9.25
絞り15       ∞           0.00         0.00         -0.00
3   16      28.08        13.77         0.84         -9.78
4   23     -77.30         0.90         0.66          0.17
5   25      36.65         5.30         0.84         -2.70
単レンズデータ
レンズ  始面  焦点距離
1       1   -130.33
2       2    146.11
3       4    179.92
4       6     98.49
5       8    -14.70
6      10     21.60
7      11    -12.74
8      13     42.70
9      16     24.72
10      18    -36.45
11      20    -42.51
12      21     21.72
13      23    -77.30
14      25     28.32
15      26   -120.08
16      28      0.00
【００３８】
（数値実施例４）
単位 mm
面データ
面番号       r        d      nd         νd       有効径
1         92.969    1.70   2.00330    28.3       52.08
2         59.800    5.95   1.43875    95.0       48.62
3       1929.778    0.10                         47.52
4         78.700    3.10   1.43875    95.0       46.13
5        282.171    0.10                         45.94
6         49.144    4.95   1.59240    68.3       44.21
7        188.681  (可変)                         43.63
8        747.697    0.85   1.88300    40.8       24.95
9*        12.330    7.09                         18.80
10        -23.196    2.20   1.86148    25.7       18.24
11        -14.265    0.65   1.74100    52.6       18.33
12         48.235    0.87                         18.41
13         35.878    2.65   1.86148    25.7       18.81
14       -180.146  (可変)                         18.71
15(絞り)    ∞     (可変)                         15.53
16*        15.341    4.50   1.81600    46.6       20.58
17         68.247    2.56                         19.77
18*        30.516    1.00   2.00330    28.3       17.24
19         12.334    1.65                         15.52
20         16.120    0.80   1.80518    25.4       15.73
21         14.257    4.50   1.49700    81.5       15.36
22        -46.529  (可変)                         15.05
23        -32.846    0.80   1.49700    81.5       14.30
24         22.339    0.80                         14.00
25*        64.931    1.10   1.94595    18.0       16.20
26        123.629    0.73                         14.00
27         42.256    3.30   1.49700    81.5       14.85
28        -17.288    0.60   1.83400    37.2       15.08
29        -29.580  (可変)                         15.57
30*        25.967    1.60   1.48749    70.2       19.03
31         40.726    1.50                         18.92
32         58.176    3.60   1.49700    81.5       19.00
33        -20.415    0.65   1.83400    37.2       18.97
34        -35.332  (可変)                         19.19
35          ∞       2.46   1.51633    64.1       25.00
36          ∞                                    25.00
像面        ∞   
非球面データ
第9面
K = 1.58596e-001  A 4=-1.52844e-005  A 6=-4.34671e-007  A 8=-3.26381e-009  A10= 1.34387e-010  A12=-1.07687e-012  
A 3=-5.03340e-006  A 5=-1.52001e-006  A 7= 1.28093e-007  A 9=-2.15316e-009  A11= 1.19646e-011  
第16面
K =-5.88182e-001  A 4= 1.15453e-005  A 6=-9.22663e-008  A 8=-2.97068e-010  A10= 9.73227e-012  A12=-1.49298e-014  
A 3= 3.62048e-006  A 5= 6.89563e-007  A 7= 1.51516e-008  A 9=-1.04719e-010  A11=-1.02623e-014  
第18面
K =-9.71005e+000  A 4= 2.26524e-005  A 6=-3.82726e-007  A 8=-4.14006e-009  A10= 9.25422e-012  A12= 4.20947e-014  
A 3=-1.90717e-006  A 5= 3.29802e-007  A 7= 4.33775e-008  A 9= 1.92989e-010  A11=-1.29387e-012  
第25面
K = 9.64869e+000  A 4= 1.23604e-005  A 6= 1.06388e-007  A 8= 2.13424e-009  A10= 2.03516e-010  A12= 3.60290e-013  
A 3=-7.96478e-006  A 5=-1.02589e-006  A 7= 1.45572e-009  A 9=-1.16599e-009  A11=-1.49025e-011  
第30面
K =-3.43086e-001  A 4=-3.97247e-006  A 6= 3.42025e-008  A 8= 2.28673e-009  A10=-1.00956e-011  A12= 8.08762e-014  
A 3= 1.75381e-005  A 5= 4.84244e-007  A 7=-1.74013e-008  A 9= 5.68158e-012  A11=-7.54153e-013  
各種データ
ズーム比     24.97 
広角     中間     望遠
f              7.28    42.18   181.80  
Fno            1.87     3.60     4.00  
ω            41.90     8.58     2.01  
レンズ全長   140.39   152.98   157.19  
BF             2.02     2.02     2.02  
d 7            0.96    32.79    49.28  
d14           37.63     6.06     1.87  
d15           16.62     8.84     1.85  
d22            1.38     8.91     3.59  
d29            7.06     7.46    28.31  
d34           12.36    24.55     7.92  
入射瞳位置    27.11   137.47   482.71  
射出瞳位置   171.92   2335.11   279.52  
前側主点位置  34.70   180.41   783.61  
後側主点位置  -5.26   -40.15  -179.77  
ズームレンズ群データ
群  始面    焦点距離  レンズ構成長  前側主点位置  後側主点位置
1    1      71.40        15.90         4.62         -5.90
2    8     -11.72        14.31         0.80        -11.06
絞り15       ∞           0.00         0.00         -0.00
3   16      27.95        15.01         0.54        -11.11
4   23    -128.05         7.33        -9.70        -16.05
5   30      45.57         7.35         2.44         -3.08
単レンズデータ
レンズ  始面  焦点距離
1       1   -171.46
2       2    140.52
3       4    247.60
4       6    110.71
5       8    -14.21
6      10     38.61
7      11    -14.79
8      13     34.93
9      16     23.36
10      18    -21.22
11      20   -189.51
12      21     22.51
13      23    -26.62
14      25    143.27
15      27     25.15
16      28    -51.02
17      30    141.94
18      32     30.88
19      33    -59.15
20      35      0.00
【００３９】
（数値実施例５）
単位 mm
面データ
面番号       r        d      nd         νd       有効径
1         83.562    1.70   2.00330    28.3       51.68
2         56.398    6.20   1.43875    95.0       48.61
3        394.511    0.10                         47.23
4         88.215    3.10   1.43875    95.0       45.73
5        334.269    0.10                         45.36
6         53.160    4.60   1.59240    68.3       43.20
7        260.787  (可変)                         42.62
8       4745.268    0.85   1.88300    40.8       25.95
9*        14.107    7.09                         20.30
10        -33.494    3.00   1.86148    25.7       19.74
11        -15.886    0.65   1.74100    52.6       19.81
12         45.602    0.87                         19.61
13         32.484    2.65   1.86148    25.7       19.98
14        176.422  (可変)                         19.76
15(絞り)    ∞     (可変)                         15.94
16*        14.929    4.50   1.81600    46.6       20.13
17         69.520    2.95                         19.30
18*        30.638    1.00   2.00330    28.3       16.52
19         11.991    1.96                         14.86
20         16.897    0.80   1.80809    22.8       15.07
21         14.775    4.50   1.49700    81.5       14.74
22        -64.881  (可変)                         14.36
23        -36.839    0.80   1.49700    81.5       14.30
24         51.149    0.80                         14.00
25*       138.113    1.10   1.94595    18.0       16.20
26         75.926    0.73                         14.00
27         54.631    1.00   1.49700    81.5       15.37
28         52.329    2.50   1.81600    46.6       15.61
29        -52.132  (可変)                         15.78
30*        21.501    2.00   1.48749    70.2       16.47
31         45.804    1.50                         16.24
32        -87.396    3.60   1.49700    81.5       16.19
33        -19.375    0.65   1.83400    37.2       16.12
34        -34.000  (可変)                         16.33
35          ∞       2.46   1.51633    64.1       25.00
36          ∞                                    25.00
像面        ∞   
非球面データ
第9面
K = 3.85868e-001  A 4=-1.19955e-005  A 6=-3.85955e-007  A 8=-3.54880e-009  A10= 1.24378e-010  A12=-1.01844e-012  
A 3=-1.16222e-005  A 5=-1.54256e-006  A 7= 1.20701e-007  A 9=-2.02162e-009  A11= 1.19748e-011  
第16面
K =-5.92251e-001  A 4= 1.02794e-005  A 6=-7.96373e-008  A 8=-5.94394e-010  A10= 1.36279e-011  A12=-3.71603e-014  
A 3= 5.74452e-006  A 5= 5.33288e-007  A 7= 1.59397e-008  A 9=-1.25889e-010  A11= 1.19434e-013  
第18面
K =-1.18494e+001  A 4= 3.38818e-005  A 6=-6.01722e-007  A 8= 2.86983e-009  A10= 6.80677e-012  A12= 2.00545e-013  
A 3=-4.48209e-006  A 5= 1.09558e-006  A 7= 3.19549e-008  A 9=-3.09651e-010  A11=-2.00738e-012  
第25面
K = 2.34648e+001  A 4= 1.02882e-005  A 6= 7.81557e-008  A 8= 2.01591e-009  A10= 1.40354e-010  A12=-7.03481e-013  
A 3=-1.14827e-005  A 5=-1.86495e-006  A 7= 3.17929e-008  A 9=-1.75337e-009  A11= 5.68438e-012  
第30面
K =-9.22698e-001  A 4= 3.15687e-006  A 6= 3.38340e-007  A 8=-2.76705e-009  A10= 8.25106e-012  A12=-2.40803e-013  
A 3= 1.65294e-005  A 5=-9.80708e-008  A 7=-3.12862e-008  A 9= 3.41496e-010  A11= 1.44036e-012  
各種データ
ズーム比     18.08 
広角     中間     望遠
f              8.01    46.79   144.84  
Fno            1.85     3.60     4.00  
ω            39.10     7.75     2.52  
レンズ全長   136.44   152.87   154.65  
BF             1.08     1.08     1.08  
d 7            1.02    36.11    49.45  
d14           38.88     6.10     1.93  
d15           13.54    10.01     1.90  
d22            1.24     2.45     1.39  
d29            5.07    13.17    28.32  
d34           11.85    20.19     6.81  
入射瞳位置    28.70   156.78   383.39  
射出瞳位置  -519.29  -344.75  -234.16  
前側主点位置  36.59   197.24   439.05  
後側主点位置  -6.94   -45.71  -143.76  
ズームレンズ群データ
群  始面    焦点距離  レンズ構成長  前側主点位置  後側主点位置
1    1      75.19        15.80         4.74         -5.79
2    8     -13.01        15.11         1.06        -10.81
絞り15       ∞           0.00         0.00         -0.00
3   16      30.29        15.71        -0.90        -12.89
4   23     250.00         6.93        24.35         21.82
5   30      73.03         7.75         1.26         -4.56
単レンズデータ
レンズ  始面  焦点距離
1       1   -178.51
2       2    149.15
3       4    272.10
4       6    111.79
5       8    -16.02
6      10     32.51
7      11    -15.83
8      13     45.83
9      16     22.47
10      18    -20.18
11      20   -175.07
12      21     24.68
13      23    -42.96
14      25   -179.81
15      27   -2920.06
16      28     32.35
17      30     80.95
18      32     49.22
19      33    -55.12
20      35      0.00
前述の各条件式と数値実施例との関係を（表１）に示す。
【００４０】
【表１】
2011053297.tif 000003
【００４１】
次に、各実施例に示したようなズームレンズを撮影光学系として用いた、デジタルカメラの実施形態を図１１を用いて説明する。図１１において、２０はカメラ本体、２１は本発明のズームレンズによって構成された撮像光学系である。２２は撮像光学系２１によって形成された被写体像を受光するＣＣＤなどの固体撮像素子（光電変換素子）である。２３は固体撮像素子２２が受光した被写体像を記録する記録手段、２４は不図示の表示素子に表示された被写体像を観察するためのファインダーである。上記表示素子は液晶パネルなどによって構成され、撮像素子２２上に形成された被写体像が表示される。
【符号の説明】
【００４２】
Ｌ１は第１レンズ群、Ｌ２は第２レンズ群、Ｌ３は第３レンズ群、Ｌ４は第４レンズ群、Ｌ５は第５レンズ群、Ｌｒは後群、ｄはｄ線、ｇはｇ線、ΔＭはメリディオナル像面、ΔＳはサジタル像面、ＳＰは絞り、ＧはＣＣＤのフォースプレートやローパスフィルター等のガラスブロック、ωは半画角、ｆｎｏはＦナンバー
【図１】
2011053297.tif 000004
【図２】
2011053297.tif 000005
【図３】
2011053297.tif 000006
【図４】
2011053297.tif 000007
【図５】
2011053297.tif 000008
【図６】
2011053297.tif 000009
【図７】
2011053297.tif 000010
【図８】
2011053297.tif 000011
【図９】
2011053297.tif 000012
【図１０】
2011053297.tif 000013
【図１１】
2011053297.tif 000014